(57)【要約】【課題】  機械式駐車装置に入庫動作中に入庫可能範囲からのはみ出し部を検知して利用者に知らせるようにする。【解決手段】  機械式駐車装置の建屋１２の前側壁１２ａに設けた乗入れ口１３から建屋１２内のケージ１７上のパレット１８上に車両２０を乗り入れるようにする。上記パレット１８の左右両側部外方位置となる入庫可能範囲の境界部の上方位置をレーザ光１６が通るように検知センサ１５を建屋１２の後側壁１２ａに設置する。検知センサ１５は、垂直方向に平らな面となるようなレーザ光１６を照射するようにしたものとして、車両２０の左右両側部の外方にレーザ光１６が平行に照射されるようにし、レーザ光１６の面の範囲ではみ出し部を検知するようにする。【選択図】図２
2010255377.tif 000002
【特許請求の範囲】
【請求項１】
機械式駐車装置の乗入れ口から乗入れた車両を載せるパレットの左右両側部外方位置となる入庫可能範囲の境界部に、垂直方向に面となるレーザ光を一方向に平行に照射させ、上記乗入れ口からパレット上に車両を乗入れる入庫動作中に上記入庫可能範囲からのはみ出し部を検知することを特徴とする機械式駐車装置に入庫する車両のはみ出し部検知方法。
【請求項２】
機械式駐車装置の乗入れ口に対向する建屋の奥側の車両前方又はパレットの中央上部の車両上方から一方向に面状にレーザ光を照射させるようにする請求項１記載の機械式駐車装置に入庫する車両のはみ出し部検知方法。
【請求項３】
建屋の乗入れ口からパレット上に車両を乗入れてパレットとともに昇降させて駐車させるようにしてある機械式駐車装置における上記建屋内の所要個所に、上記パレットの左右両側部外方位置となる入庫可能範囲の境界部を通って垂直方向に平らな面状に広がるようなレーザ光を照射する検知センサを設置し、且つ上記検知センサを表示装置に接続し、上記パレット上に車両を乗入れる入庫動作中にはみ出し部を検知して表示させるようにした構成を有することを特徴とする機械式駐車装置に入庫する車両のはみ出し部検知装置。
【請求項４】
検知センサを、建屋の乗入れ口と対向する建屋の後側壁内面における車高の高い車よりも高い位置で且つ左右両側部、又はパレットの車両乗入れ方向の中央部分の左右両側の上方位置に設置して、一方向からレーザ光を照射させるようにした請求項３記載の機械式駐車装置に入庫する車両のはみ出し部検知装置。
【発明の詳細な説明】
【技術分野】
【０００１】
本発明は、機械式駐車装置に入庫する車両のはみ出し部を検知する方法及び装置に関するもので、詳しくは、ドアミラーのたたみ忘れ等により車両の左右いずれか一方、または両側に入庫可能範囲からはみ出していることを入庫動作中に検知して利用者に知らせるようにするために用いる機械式駐車装置に入庫する車両のはみ出し部検知方法及び装置に関するものである。
【背景技術】
【０００２】
限られた敷地に効率よく車両を駐車するための駐車装置として、ケージをエレベータのように昇降させるようにするエレベータ式の機械式駐車装置や、ケージを垂直方向あるいは水平方向に循環させるようにする循環方式の機械式駐車装置等があり、又、これらの機械式駐車装置には、建屋の下部に設けた乗入れ口から乗入れるようにする下部乗入れ方式としたもの、駐車スペースを地上と地下に振り分けて中間位置に設けた乗入れ口から乗入れて上昇又は下降させるようにする中間乗入れ方式としたもの、更には、駐車スペースを地下に設置して上部から乗入れて下降させるようにする上部乗入れ方式としたものがある。
【０００３】
一方、上記の如き機械式駐車装置は、近年、多種多様の形状をした車両や異なる高さの車両を１つの駐車装置に駐車できるようにするために、駐車スペースに設けられる車収納棚同士の間隔を車高の高い車両にも対応できるようにしたり、車両積載用のパレットも、左右のホイール間の寸法が異なる多種多様の形状の車両が乗入れられるように、乗入れ部の幅も広くして車幅の異なる車両の入庫にも対応させるようにしてある。
【０００４】
そのため、上記の如き機械式駐車装置に入庫しようとする車両を、車両積載用のパレット上に乗入れて入庫しようとする場合、パレット上の乗入れ部の幅が広いことから、乗入れる車両が左右方向のいずれか一方に片寄りすぎていても乗入れることが可能となり、乗入れた結果、その車両の利用者が気がつかないままパレット上の左右方向の一方に片寄って車両が乗入れている場合が生じる。又、パレット幅いっぱいの車両が乗入れられる可能性もある。このような場合に、ドアミラーのたたみ忘れがあると、開いたままのドアミラーが、機械式駐車装置の入庫可能範囲となるパレットの左右両側部の外方位置からはみ出している場合がある。
【０００５】
上記のように、機械式駐車装置の入庫可能範囲からのはみ出し部がある状態にパレット上に車両が乗入れられた場合には、前記した下部乗入れ方式や中間乗入れ方式のようにパレット上に車両を乗入れて入庫動作を終了した後、パレットを上昇させる運転、あるいは、パレットを下降させる運転を開始したとき、上記はみ出しているドアミラー等のはみ出し部が、機械式駐車装置の車格納棚等の機械と接触したり、既に入庫している他の車両と接触して損傷を生じさせるおそれがある。
【０００６】
そこで、従来においては、これまでにかかる事態を未然に防止するための工夫がなされてきており、種々の方策が提案されている。
【０００７】
図３及び図４はその一例を示すもので、建造物１内に昇降台通路２をあけるように前後一対のラック装置３が立設されて収納されており、該前後一対のラック装置３間における床４の下方のピット５内に、昇降台６と昇降台６に設けられた車移載装置とが備えてある立体駐車場において、上記昇降台６上のパレット７上に載せられる入庫の車８の上方外方を通過する光・電波・音波等の信号を発信する発信器９を、上記前後の各ラック装置３の昇降台通路２の左側に設け、これら発信器９からの信号を受信する受信器１０をラック装置３の右側に設けた構成としてある。これにより、入庫した車８が昇降台６上の設定位置からはみ出した状態でパレット上に乗入れられていると、昇降台６によって持ち上げられる車８のドアミラー１１が、発信器９が発する光・電波・音波等の信号を遮断することになって、入庫した車８が昇降台６の設定位置からはみ出し部があることを検知でき、同時に、上記信号が遮断されることによるセンサーの作動により昇降台６が非常停止させられるようにしてある（たとえば、特許文献１参照）。
【０００８】
又、本特許出願人も、以前、垂直循環式駐車装置において、入庫した車両のドアミラーがたたまれないで開いたままとなっている状態で入庫動作が終了した場合に、駐車装置を運転して入庫車を載せたパレットがケージ垂直移動経路を移動する途中で光電管センサの設置位置に達したとき、ドアミラーのはみ出しを検知するようにすると共にケージの移動を非常停止するようにしたことを含む特許出願を行っている（特願２００７−２６８２１３号）。
【先行技術文献】
【特許文献】
【０００９】
【特許文献１】特開平６−３２３０３１号公報
【発明の概要】
【発明が解決しようとする課題】
【００１０】
ところが、特許文献１に記載されたものや、本特許出願人が特許出願しているものに係る発明は、光等の信号を水平方向に通す光軸１本の形式のものであり、多種多様の形状の車両や異なる高さの車両に取り付けられているドアミラーの位置は様々であるため、１本の光軸のみで入庫動作中に車のすべてのドアミラー等のはみ出しを検知することは不可と云えるものである。
【００１１】
このことから、上記特許文献１に記載されたものや、本特許出願人の先願のものでは、入庫動作を終了した車両を駐車スペース位置まで移動させる過程で、入庫可能範囲からのはみ出しを検知するようにしているものである。
【００１２】
そのため、入庫動作を終了した車両を上方向へ移動させる過程でドアミラー等のはみ出しを検知する場合には、乗入れ口で乗入れられた車両のドアミラー位置よりも高い位置に発信器と受信器を設置するようにし、又、入庫車を、乗入れ位置よりも下方へ移動させる地下駐車のような場合には、乗入れ口から乗入れられる車両のドアミラー位置よりも低い位置に発信器と受信器を設置するようにして、機械を移動させる過程でドアミラー等のはみ出しを検知させるようにしてあり、はみ出しを検知した際は駐車装置の機械を非常停止して、前記した如き、はみ出し部が機械や他の車両に接触することがないようにしている。
【００１３】
しかしながら、上記従来のものでは、入庫動作を終了して、利用者が駐車装置の乗入れ口のドアから退出した後に、機械が動いている過程で車両のドアミラー等のはみ出し部が発信器から発信される光等の信号により検知されるようにし、検知されると機械を非常停止させるようにするものであるため、利用者が退出する前の入庫動作中にはみ出しを検知するものではない。
【００１４】
又、上記非常停止した機械を復旧させるためには、はみ出し部を確認すると共に、そのはみ出し部をなくすようにすることが必要であるが、復旧作業は利用者が退出した後であるため、利用者に非常停止の原因を解消させるようにすることはできず、機械の復旧のために別途係員が現場に急行し、ドアミラーのたたみ忘れ等を解消させて機械を復旧させる必要がある、という問題がある。
【００１５】
このような問題をなくすために、多光軸のセンサを取り付けて、多種多様の形状の車両や異なる高さの車両をパレット上に乗入れる入庫動作中に、はみ出し部を検知させるようにすることも考えられるが、投光する側のセンサと受光する側のセンサが必要であり、特に、受光する側のセンサを乗入れ口側に取り付けようとする場合に、取付位置を確保することが困難である、という問題がある。
【００１６】
そこで、本発明は、車両の入庫動作中に、ドアミラーのたたみ忘れ等による入庫可能範囲からのはみ出しを検知できるようにして、利用者が退出する前に検知することにより利用者に気付かせるようにすると共に、多種多様な形状や異なる高さの車両でドアミラーの大きさ、形状、高さ位置が異なっていても入庫可能範囲からのはみ出しを確実に検知できるようにする機械式駐車装置に入庫する車両のはみ出し部検知方法及び装置を提供しようとするものである。
【課題を解決するための手段】
【００１７】
本発明は、上記課題を解決するために、機械式駐車装置の乗入れ口から乗入れた車両を載せるパレットの左右両側部外方位置となる入庫可能範囲の境界部に、垂直方向に面となるレーザ光を一方向に平行に照射させ、上記乗入れ口からパレット上に車両を乗入れる入庫動作中に上記入庫可能範囲からのはみ出し部を検知することを特徴とする機械式駐車装置に入庫する車両のはみ出し部検知方法とし、更に、上記方法において、機械式駐車装置の乗入れ口に対向する建屋の奥側の車両前方又はパレットの中央上部の車両上方から一方向に面状にレーザ光を照射させるようにする検知方法とする。
【００１８】
又、建屋の乗入れ口からパレット上に車両を乗入れてパレットとともに昇降させて駐車させるようにしてある機械式駐車装置における上記建屋内の所要個所に、上記パレットの左右両側部外方位置となる入庫可能範囲の境界部を通って垂直方向に平らな面状に広がるようなレーザ光を照射する検知センサを設置し、且つ上記検知センサを表示装置に接続し、上記パレット上に車両を乗入れる入庫動作中にはみ出し部を検知して表示させるようにした構成を有することを特徴とする機械式駐車装置に入庫する車両のはみ出し部検知装置とし、更に、上記構成において、検知センサを、建屋の乗入れ口と対向する建屋の後側壁内面における車高の高い車よりも高い位置で且つ左右両側部、又はパレットの車両乗入れ方向の中央部分の左右両側の上方位置に設置して、一方向からレーザ光を照射させるようにした検知装置とする。
【発明の効果】
【００１９】
本発明の機械式駐車装置に入庫する車両のはみ出し部検知方法及び装置によれば、次の如き優れた効果を発揮する。 
（１）機械式駐車装置の乗入れ口から乗入れた車両を載せるパレットの左右両側部外方位置となる入庫可能範囲の境界部に、垂直方向に面となるレーザ光を一方向に平行に照射させ、上記乗入れ口からパレット上に車両を乗入れる入庫動作中に上記入庫可能範囲からのはみ出し部を検知することを特徴とする機械式駐車装置に入庫する車両のはみ出し部検知方法、及び建屋の乗入れ口からパレット上に車両を乗入れてパレットとともに昇降させて駐車させるようにしてある機械式駐車装置における上記建屋内の所要個所に、上記パレットの左右両側部外方位置となる入庫可能範囲の境界部を通って垂直方向に平らな面状に広がるようなレーザ光を照射する検知センサを設置し、且つ上記検知センサを表示装置に接続し、上記パレット上に車両を乗入れる入庫動作中にはみ出し部を検知して表示させるようにした構成を有することを特徴とする機械式駐車装置に入庫する車両のはみ出し部検知装置としてあるので、パレット上に車両を乗入れる入庫動作中に、ドアミラーのたたみ忘れ等による入庫可能範囲からのはみ出し部を検知することができ、利用者が立ち去る前に、はみ出しを利用者に知らせることができて直ちにはみ出しを利用者により解消させることができる。これにより、機械の非常停止につながることがなくなり、別途係員に復旧作業の要請をするということをなくすことができる。 
（２）レーザ光の平らな面の範囲で、はみ出し部を検知できることから、多種多様な形状の車両や異なる高さの車両で光軸１本の場合に検知範囲から外れて検知できないものでも入庫可能範囲からはみ出しているものを確実に検知することができる。 
（３）上記（１）の構成において、機械式駐車装置の乗入れ口に対向する建屋の奥側の車両前方又はパレットの中央上部の車両上方から一方向に面状にレーザ光を照射させるようにする検知方法、及び検知センサを、建屋の乗入れ口と対向する建屋の後側壁内面における車高の高い車よりも高い位置で且つ左右両側部、又はパレットの車両乗入れ方向の中央部分の左右両側の上方位置に設置して、一方向からレーザ光を照射させるようにした検知装置とすることにより、検知センサは発受光の２つとすることなく片側からのみで検知できるもので設置が容易であり、又、新設の駐車装置のみならず、既設の駐車装置にも容易に取り付けることができる。
【図面の簡単な説明】
【００２０】
【図１】本発明の実施の一形態としてエレベータ方式の機械式駐車装置に適用した状態の概要を示す乗入れ口側から見た正面図である。
【図２】図１の概略側面図である。
【図３】従来のエレベータ方式の駐車装置の乗入れ部分の側面図である。
【図４】図３のＩＶ−ＩＶ矢視図である。
【発明を実施するための最良の形態】
【００２１】
以下、本発明を実施するための形態を図面を参照して説明する。
【００２２】
図１及び図２は本発明の実施の一形態として、エレベータ方式の機械式駐車装置で且つ下部乗入れ方式のものに適用した場合を示すもので、前側壁１２ａの下部に乗入れ口１３を設けてドア１４で開閉できるようにしてある建屋１２の後側壁１２ｂの内側面（入庫する車両の前方側に位置する壁の内側面）の所要個所に、垂直方向に平らな面状となるレーザ光１６を照射するようにした検知センサ１５を設置し、ケージ１７上の車両積載用のパレット１８上に乗入れられる車両のドアミラー等のはみ出し部を面でとらえて検知するようにし、はみ出し部が検知されると、音又は文字の表示装置（図示せず）に表示させて利用者に知らせるようにする。
【００２３】
詳述すると、建屋１２内の中央部分に設けられるケージ昇降部１９を挟むように左右両側部に、車格納棚２０を所要高さ間隔で多段に設置してなる駐車スペースを設け、上記ケージ昇降部１９を昇降できるように支持されているケージ１７上のパレット１８上に、乗入れ口１３から車両２１を乗入れ、図１に示す如くパレット１８上に車両２１が乗入れられて入庫動作が終了すると、乗入れ口１３のドア１４を閉じてロックし、しかる後、機械が動き始めてケージ１７とともに車両２１を上昇させるようにしてある機械式駐車装置において、上記乗入れ口１３が設けられている建屋１２の前側壁１２ａに対向する建屋１２の後側壁１２ｂの内面の２個所に、平らな面状のレーザ光１６を照射してスキャンしながら反射してくる光により検知対象物を検知するようにしてある検知センサ１５を、レーザ光１６が垂直な面として乗入れ口１３の方向に照射されるようにしてそれぞれ設置するようにする。更に、建屋１２内に警報音や文字表示をする表示装置（図示せず）を設置して、上記検知センサ１５がはみ出しを検知して作動すると、上記表示装置に信号が送られて、アラームが発せられると共に、目視できる「はみ出し」の文字表示が行われるようにする。
【００２４】
上記検知センサ１５の設置個所は、ケージ１７上のパレット１８上に乗入れた車両２１の左右両側部の外方位置である入庫可能範囲の境界部に、レーザ光１６が垂直方向に面として通過させられるようにして、多種多様な形状の車両がパレット１８上に乗入れられた場合でも、入庫可能範囲からはみ出し部があると、そのはみ出し部を検知できるような左右２個所の位置とし、更に、あらゆる高さの車両が入庫されてドアミラー２２の高さが異なる場合でも面として検知できるような高さ位置とするようにする。
【００２５】
上記構成としてあるので、図１及び図２に示す如く、建屋１２の奥側となる後側壁１２ｂの内側面の２個所に設置してある検知センサ１５からは、乗入れ口１３がある建屋１２の前側の方向へ向う一方向にのみレーザ光１６が照射される。レーザ光１６は、図示の如く垂直方向に一様に広がる平らな面として広い角度で照射され、しかも、左右の２個所で平行に照射される。これにより、ケージ１７上のパレット１８上に車両２１を乗入れて入庫動作を行っているとき、パレット１８上に乗入れられた車両２１がパレット１８で片寄り、入庫可能範囲からのはみ出し部があると、このはみ出し部がレーザ光１６にかかるので、直ちに且つ確実にはみ出しを検知することができる。この際はみ出し部は面で検出することができ、且つ一方向からの１つの検知センサ１５で検知することができるので、面の範囲で、はみ出しを確実に検知することができる。
【００２６】
上記のように入庫動作中にドアミラー２２等がはみ出していることが検知できると、車両の利用者が乗入れ口１３から外部へ立ち去る前にアラームや文字表示等で利用者に知らせることが可能となる。これによりドアミラー２１がはみ出している場合は、利用者が自らドアミラーのたたみ忘れを知ることができて、ドアミラー２１をたたみ、入庫可能範囲からのはみ出しを解消させることができることになる。
【００２７】
なお、本発明においては、検知センサ１５がはみ出しを検知しているときは、はみ出しが解消されない限り入庫動作を終了することができないような制御とすることもできる。すなわち、検知センサ１５が作動して、はみ出しが検知されたときは、乗入れ口１３のドア１４を閉じようとしてもドア１４が閉じられないようにインターロック機構を設け、利用者が検知センサ１５からの指令で表示装置に表示されていることに気付かずにドア１４から退出してドア１４を閉じようとしても、ドア１４が閉じないようにすることができる。このようにすれば、利用者が車両をパレット１８上に乗入れを完了して入庫動作を終了したと勘違いをして立ち去ろうとしても、機械を動かすことができないので、入庫させることはできないことになる。
【００２８】
なお、本発明は、上記した実施の形態のみに限定されるものではなく、たとえば、検知センサ１５を建屋の後側壁１２ａの内側面に取り付けるようにした場合を示したが、上部乗入れ方式の如く、乗入れ口から下方へケージを移動して駐車するようにしてあるような場合には、建屋１２の後側壁１２ａに代えて天井部に取り付けるようにしてもよく、この場合は、パレット１８上の入庫可能範囲に乗入れられた車両の前後方向のほぼ中央部の上方から下方向にレーザ光を照射させるようにすればよいこと、又、本発明は機械式駐車装置全般に適用できること、その他本発明の要旨を逸脱しない範囲内で種々変更を加え得ることは勿論である。
【符号の説明】
【００２９】
１２  建屋
１３  乗入れ口
１４  ドア
１５  検知センサ
１６  レーザ光
１７  ケージ
１８  パレット
２１  車両
２２  ドアミラー
【図１】
2010255377.tif 000003
【図２】
2010255377.tif 000004
【図３】
2010255377.tif 000005
【図４】
2010255377.tif 000006